(57)【要約】【課題】伝送装置と伝送路との状態情報を収集する障害監視制御システムに関し、リンク断障害発生個所の検出の迅速化を図る。【解決手段】複数の伝送装置３〜８を伝送路により順次接続してデータ伝送を行う伝送システムの接点情報を、監視装置により収集する障害監視制御システムであって、伝送装置は、前段の伝送装置との間のリンク断発生の検出時に、次段の伝送装置に対してリモートリンク断情報を送出し、前段の伝送装置からリモートリンク断情報の受信時に、次段の伝送装置に対してリンクのシャットダウン処理を行い、前段の伝送装置との間のリンク断発生検出時に、監視装置に対してリンク断検出接点情報を送出し、前段の伝送装置からのリモートリンク断情報受信時、監視装置に対してリモートリンク断接点情報を送出し、監視装置は、各伝送装置からの接点情報を収集し、リモートリンク断接点情報送出伝送装置間に、リンク断検出接点情報送出伝送装置が２台存在する時に、該２台の伝送装置間に於いてリンク断発生と判断する。【選択図】図２
2011055381.tif 000002
【特許請求の範囲】
【請求項１】
複数の伝送装置を伝送路により順次接続してデータ伝送を行う伝送システムの前記各伝送装置の状態情報を接点情報として、監視装置により収集し、前記伝送システムの状態監視を行う障害監視制御システムに於いて、
前記伝送装置は、前段の伝送装置との間のリンク断発生を検出した時に、次段の伝送装置に対してリモートリンク断情報を送出し、前段の伝送装置からリモートリンク断情報を受信した時に次段の伝送装置に対してリンクのシャットダウン処理を行う制御処理手段と、前記リンク断発生を検出した時に、前記監視装置にリンク断検出接点情報を送出し、前段の伝送装置から前記リモートリンク断情報を受信した時に、前記監視装置にリモートリンク断接点情報を送出する接点情報送出処理手段とを備え、
前記監視装置は、前記伝送装置からの接点情報を収集し、前記リモートリンク断接点情報を送出した伝送装置間に、前記リンク断検出接点情報を送出した２台の伝送装置が存在する時に、該２台の伝送装置間に於いてリンク断発生と判断する制御処理手段を備えている
ことを特徴とする障害監視制御システム。
【請求項２】
前記伝送装置は、前段の伝送装置との間のリンク断発生を検出するリンク断検出機能部と、該リンク断検出機能部によるリンク断検出によりリモートリンク断情報を生成するリンク断情報生成部と、該リンク断情報生成部により生成したリモートリンク断情報を次段の伝送装置に送出するリンク断情報転送機能部と、前段の伝送装置からのリモートリンク断情報を受信処理するリンク断情報受信機能部と、該リンク断情報受信機能部によりリモートリンク断情報を受信して該当リンクをシャットダウンするシャットダウン制御機能部と、前記監視装置へ接点情報を送出する接点出力部と、前記リンク断検出機能部によるリンク断検出によりリンク断検出接点情報を前記接点出力部から前記監視装置へ送出させ、前記リンク断情報受信機能部により前記リモートリンク断情報を受信した時に、前記接点出力部から前記監視装置へリモートリンク断接点情報を送出させる制御処理部とを備えたことを特徴とする請求項１記載の障害監視制御システム。
【請求項３】
前記伝送装置は、前記監視装置へリンク断検出によるリンク断検出情報を接点情報として送出し、前段の伝送装置からのリモートリンク断情報を受信した時に、前記監視装置に対してリンク断検出情報をマスクして、リモートリンク断情報のみを接点情報として送出する制御を行う制御処理部を備えたことを特徴とする請求項１又は２記載の障害監視制御システム。
【発明の詳細な説明】
【技術分野】
【０００１】
本発明は、複数の伝送装置を伝送路により順次接続して、データを多段中継伝送する伝送システムに於けるリンク断等の障害情報を収集し、障害発生個所の特定を可能とする障害監視制御システムに関する。
【背景技術】
【０００２】
複数の伝送装置を伝送路により接続してデータ等を伝送する伝送システムに於いて、伝送装置間のリンク断障害が発生した場合、このリンク断障害発生個所を介して受信する予定の伝送装置は、クライアントロス検出等によりリンク断発生を検出すると、送信側の伝送装置に対してリンク断とすることにより、リンク断障害発生を通知するリンクパススルー機能を適用した制御構成が知られている。又複数の伝送装置を順次接続した伝送システムに於いても、リンクパススルー機能を適用して、リンク断障害発生を順次通知することができる。又複数の伝送装置のそれぞれの状態情報を監視装置により収集して、障害発生か否かを監視する監視システムが知られている。例えば、図４に示すように、ルータ１００，１０１間を、複数の伝送装置（ＷＤＭ−Ａ，ＷＤＭ−Ｂ）１０３〜１０８を配置して、順次伝送路により接続した伝送システムに於いて、Ａ局をルータ１０１と伝送装置（ＷＤＭ−Ａ）１０３、Ｂ局を伝送装置（ＷＤＭ−Ｂ）１０４，（ＷＤＭ−Ａ）１０５、Ｃ局を伝送装置（ＷＤＭ−Ｂ）１０６，（ＷＤＭ−Ａ）１０７、Ｄ局を伝送装置（ＷＤＭ−Ｂ）１０８とルータ１０２とによりそれぞれ構成し、監視装置２００により、各伝送装置１０３〜１０８のリンク断検出情報を含む各種の状態監視情報を直接的又は各種の図示を省略したネットワークを介して収集し、各部の状態監視を行う障害監視制御システムが知られている。この場合の各伝送装置１０３〜１０８は、ＷＤＭ（Ｗａｖｅｌｅｎｇｔｈ  Ｄｉｖｉｓｉｏｎ  Ｍｕｌｔｉｐｌｅｘｉｎｇ）を適用してデータ伝送し、局間では単一光伝送路により双方向の光波長多重化伝送を行い、局内では２本の光伝送路によりそれぞれ一方向の光波長多重伝送を行う構成の場合を示す。
【０００３】
例えば、Ｂ局の伝送装置１０４から伝送装置１０５方向への伝送径路に、「断」として示すリンク断が発生すると、伝送装置１０５は、このリンク対応のクライアントロス検出等によりリンク断を検出し、伝送装置１０６方向への伝送径路の対応リンクを切断して、前段の伝送装置１０４はリンク断発生を検出し、且つ次段の伝送装置１０６に対してリンク断を通知する。この場合、Ｂ局の伝送装置１０５は、リンク断により、伝送装置１０４側からのクライアントロス（Ｃ−ＬＯＳ）検出の状態となり、伝送装置１０６は、リンクパススルーによりリンク断（Ｌｉｎｋｄｏｗｎ）検出の状態となる。他の伝送装置に於いても、リンクパススルーにより、同様の状態となり、ルータ１０１，１０２はリンク断発生を認識することができる。又このようなリンク断障害の発生により、状態情報としての接点情報は、「接点：ＣＬＮＴ−ＡＬＭ」として、監視装置２００へ伝送する。従って、監視装置２００に於いては、＜監視情報＞として示すように、Ａ局〜Ｄ局対応の「ＣＬＮＴ−ＡＬＭ発生」の同一の接点情報を収集することになる。
【０００４】
しかし、収集した接点情報では、伝送装置１０４，１０５間の実際のリンク断障害発生を認識することはできない。なお、監視装置２００へ各伝送装置１０３〜１０８から送信する接点情報は、複数ビット構成とし、各ビットは、“０”又は“１”により監視点が正常か異常かを示し、又先頭からのビット配列位置と伝送装置内の監視点とを対応させる場合が一般的である。従って、リンク断か否かを示す接点情報は、先頭から所定のビット位置のビットを、例えば、正常時は“０”とし、リンク断検出により“１”とする。それにより、監視装置２００は、前回収集した接点情報と、今回収集した接点情報とを、先頭からのビット位置対応に照合することにより、各伝送装置対応の多数の監視点について、異常発生か否かを直ちに認識することができる。
【０００５】
又ＬＡＮ等の非同期伝送システムと、ＳＯＮＥＴ／ＳＤＨ等の同期伝送システムとの間で、伝送フォーマット変換を行って伝送するシステムに於いて、伝送装置間のリンク正常性確認プロトコルによるレスポンス受信の可否判定を相互に行い、レスポンス受信不可の場合にリンク断と判断し、リンク断検出情報を、例えば、ＳＤＨフレームのペイロードのパスオーバヘッドＰＯＨ等の所定位置のリンク断制御バイトによって通知する手段が提案されている（例えば、特許文献１参照）。又前述の場合と同様に、パケット伝送等の非同期伝送システムとＳＯＮＥＴ／ＳＤＨ等の同期伝送システムとの間で、伝送フォーマット変換を行って伝送し、非同期伝送システムの終端処理の１０ビット／８ビット変換時に、フロー情報ビットのリンク断検出信号が破棄され、従って、同期フレームには付加されない問題と、この問題により対向装置との間のフロー制御ができない問題と、同期フレームのペイロードにリンク断検出信号を付加した場合、他のチャネルの信号領域が狭くなる問題とがあることから、非同期フレームのフロー情報ビットからリンク断検出信号を抽出して、同期フレームのセクションオーバヘッドＳＯＨへ付加して伝送し、又同期フレームに付加されたリンク断検出信号を抽出して、非同期フレームのフロー情報ビットに付加して伝送する手段が提案されている（例えば、特許文献２参照）。
【先行技術文献】
【特許文献】
【０００６】
【特許文献１】ＷＯ２００５／０１８１６７号公報
【特許文献２】特開２００６−５５０６号公報
【発明の概要】
【発明が解決しようとする課題】
【０００７】
対向接続された伝送装置の一方の伝送装置がリンク断検出を行った場合、他方の伝送装置に対してリンク断とすることにより、この他方の伝送装置はリンク断が発生したと判断して、一方の伝送装置に対する送信を停止する。このようなリンクパススルー機能については、既に知られている。しかし、図４に示すように、複数の伝送装置１０３〜１０８を伝送路により順次接続した伝送システムに於いて、リンクパススルー機能により、順次リンク断発生を通知し、各伝送装置対応の接点情報の「ＣＬＮＴ−ＡＬＭ」を監視装置２００が収集することになり、総て同一の接点情報であるから、監視装置２００に於いては、伝送装置１０４，１０５間のリンク断発生を判定することは不可能である。その為に、リンク断障害個所の修復が遅れて、データ伝送に於ける大きな障害となる。又前述の特許文献１，２に於いては、リンクパススルー方式に関する技術を示すとしても、監視装置に於いて収集した監視情報を基に、リンク断発生個所を特定する点に関する技術内容は示されていない。
【０００８】
本発明は、前述の従来の問題点を解決することを目的とし、監視装置に於いて収集するリンク断検出情報と、このリンク断検出情報を基に順次転送するリンク断検出情報とを識別可能の構成として、障害発生個所を特定可能とするものである。
【課題を解決するための手段】
【０００９】
本発明の障害監視制御システムは、複数の伝送装置を伝送路により順次接続してデータ伝送を行う伝送システムの前記各伝送装置の状態情報を接点情報として、監視装置により収集し、前記伝送システムの状態監視を行う障害監視制御システムであって、伝送装置は、前段の伝送装置との間のリンク断発生を検出した時に、次段の伝送装置に対してリモートリンク断情報を送出し、前段の伝送装置からリモートリンク断情報を受信した時に次段の伝送装置に対してリンクのシャットダウン処理を行う制御処理手段と、前段の伝送装置との間のリンク断発生を検出した時に、監視装置に対してリンク断検出接点情報を送出し、前段の伝送装置からのリモートリンク断情報を受信した時に、監視装置に対してリモートリンク断接点情報を送出する接点情報送出処理手段とを備え、監視装置は、各伝送装置からの接点情報を収集し、リモートリンク断接点情報を送出した伝送装置間に、リンク断検出接点情報を送出した２台の伝送装置が存在する時に、該２台の伝送装置間に於いてリンク断発生と判断する制御処理手段を備えている。
【００１０】
又前記伝送装置は、前段の伝送装置との間のリンク断発生を検出するリンク断検出機能部と、このリンク断検出機能部によるリンク断検出によりリモートリンク断情報を生成するリンク断情報生成部と、このリンク断情報生成部により生成したリモートリンク断情報を次段の伝送装置に送出するリンク断情報転送機能部と、前段の伝送装置からのリモートリンク断情報を受信処理するリンク断情報受信機能部と、このリンク断情報受信機能部によりリモートリンク断情報を受信して該当リンクをシャットダウンするシャットダウン制御機能部と、監視装置へ接点情報を送出する接点出力部と、リンク断検出機能部によるリンク断検出によりリンク断検出接点情報を、接点出力部から監視装置へ送出させ、又リンク断情報受信機能部によりリモートリンク断情報を受信した時に、接点出力部から監視装置へリモートリンク断接点情報を送出させる制御処理部とを備えている。
【００１１】
又前記伝送装置は、監視装置へリンク断検出によるリンク断検出情報を接点情報として送出し、前段の伝送装置からのリモートリンク断情報を受信した時に、監視装置に対してリンク断検出情報をマスクして、リモートリンク断情報のみを接点情報として送出する制御を行う制御処理部を備えている。
【発明の効果】
【００１２】
複数の伝送装置を順次接続してデータ伝送を行い、各伝送装置の状態情報を接点情報として監視装置により収集し、伝送システムの状態を監視する障害監視制御システムに於いて、監視装置により収集するリンク断検出情報と、このリンク断検出に伴うリモートリンク断情報とを利用することにより、監視装置に於いて、実際のリンク断発生の伝送装置を識別することが容易であるから、障害復旧の迅速化を図ることができる。
【図面の簡単な説明】
【００１３】
【図１】本発明の実施例１の要部説明図である。
【図２】本発明の実施例１の障害監視制御の処理説明図である。
【図３】本発明の実施例２の障害監視制御の処理説明図である。
【図４】従来例の障害監視制御システムの説明図である。
【発明を実施するための形態】
【００１４】
本発明の障害監視制御システムは、図１を参照して説明すると、複数の伝送装置を伝送路により順次接続してデータ伝送を行う伝送システムの各伝送装置の状態情報を接点情報として、監視装置により収集し、複数の伝送装置を含む伝送システムの状態監視を行う障害監視制御システムであって、各伝送装置は、前段の伝送装置との間のクライアントロス等によりリンク断発生を検出した時に、次段の伝送装置に対してリモートリンク断情報を送出するリンク断情報転送機能部１３を含み、前段の伝送装置からリモートリンク断情報を受信した時に次段の伝送装置に対して該当リンクに対するシャットダウン処理を行うシャットダウン制御機能部１６，２６を含む制御処理手段と、前段の伝送装置との間のリンク断発生をリンク断検出機能部１６により検出した時に、監視装置に対してリンク断検出接点情報を送出し、前段の伝送装置からのリモートリンク断情報を受信した時に、監視装置に対してリモートリンク断接点情報を送出する接点出力部１５，２５及び制御処理部１４，２４を含む接点情報送出処理手段とを備え、監視装置は、各伝送装置からの収集した接点情報を基に、リモートリンク断接点情報を送出した伝送装置間に、リンク断検出接点情報を送出した２台の伝送装置が存在する時に、これら２台の伝送装置間に於いてリンク断発生と判断する制御処理手段を備えている。
【実施例１】
【００１５】
図１は、本発明の実施例１の要部説明図であり、Ａ局の伝送装置ＷＤＭ−ＡとＢ局の伝送装置ＷＤＭ−Ｂとの間のリンク断情報（リモートリンク断情報ＲＭＴ−ＬＮＫ）の送受信機能と監視装置に対する接点情報送出機能との要部のみを示す。同図に於いて、１１は送受信部、１２はリンク断情報生成機能部、１３はリンク断情報転送機能部、１４は制御処理部、１５は接点出力部、１６はリンク断検出機能部、２１は送受信部、２２はリンク断情報受信機能部、２３はリンク断情報出力機能部、２４は制御処理部、２５は接点出力部、２６はシャットダウン制御機能部を示す。又接点出力部１５，２５は、伝送装置内の各部の状態情報を接点情報として監視装置へ送出する機能を有するものであり、例えば、前述の図４に示す監視装置２００に対して各種の状態情報を接点情報として送出する。この接点情報の転送径路は図示を省略している。又リンク断情報転送機能部１３は、伝送装置ＷＤＭ−Ｂとの間で送受信処理する送受信部（図示を省略）に設け、同様に、リンク断情報受信機能部２２は、伝送装置ＷＤＭ−Ｂの伝送装置ＷＤＭ−Ａとの間で送受信処理する送受信部（図示を省略）に設け、それぞれの送受信部間は、１本の伝送路による双方向の光波長多重伝送を行う構成を有するものであり、伝送装置ＷＤＭ−Ａと伝送装置ＷＤＭ−Ｂとは、例えば、図４に於けるＢ局の伝送装置１０５（ＷＤＭ−Ａ）と、Ｃ局の伝送装置１０６（ＷＤＭ−Ｂ）とに対応する構成を有するものである。
【００１６】
又伝送装置ＷＤＭ−Ａの前段の伝送装置（図示を省略）との間は、２本の伝送路により接続し、同様に、伝送装置ＷＤＭ−Ｂの後段の伝送装置（図示を省略）との間は、２本の伝送路により接続した構成とし、光波長多重化信号の受信及び送信の制御処理を行う送受信部１１は、リンク断検出機能部１６を含み、このリンク断検出部１６により、前段の伝送装置（図示を省略）からのクライアント断（単一又は複数のリンク対応波長の光信号断）検出等によってリンク断を検出すると、リンク断情報生成機能部１２及び制御処理部１４へリンク断発生を通知する。制御処理部１４は、リンク断検出機能部１６からのリンク断発生通知により、リンク断発生のリンク情報を基に、前段の伝送装置（図示を省略）に対するリンクのシャットダウン処理を行うように送受信部１１に対する制御を行う。又リンク断情報生成機能部１２は、リンク断検出機能部１６からのリンク断の検出通知により、リモートリンク断情報を生成し、リンク断情報転送機能部１３へ転送する。このリンク断情報転送機能部１３は、制御処理部１４からの制御によって、リンク情報を含むリンク断情報（リモートリンク断情報）を伝送装置ＷＤＭ−Ｂへ転送する。又制御処理部１４は、接点出力部１５を制御して、図示を省略した監視装置に対してリンク断発生の接点情報を送出させる。
【００１７】
伝送装置ＷＤＭ−Ｂは、前段の伝送装置ＷＤＭ−Ａからのリンク断情報（リモートリンク断情報）を、リンク断情報受信機能部２２により受信し、リンク断情報出力機能部２３と、送受信部２１のシャットダウン制御機能部２６とに対してリンク断情報を転送する。リンク断情報出力機能部２３は、制御処理部２４に、受信したリンク断情報（リモートリンク断情報）を転送し、制御処理部２４は、接点出力部２５を制御して、図示を省略した監視装置に対してリンク断発生の接点情報を送出させる。又送受信部２１のシャットダウン制御機能部２６は、リンク断情報受信機能部２２からのリンク情報を含むリンク断情報と、制御処理部２４からの制御情報とに従って、対応リンクのシャットダウンの制御を行う。それによって、伝送装置ＷＤＭ−Ｂの図示を省略した次の伝送装置に対して、リンクパススルー方式に従ったリンク断情報を転送することになる。
【００１８】
図２は、本発明の実施例１の障害監視制御の処理説明図であり、ルータ１，２間に複数の伝送装置（ＷＤＭ−Ａ，ＷＤＭ−Ｂ）３〜８を接続した伝送システムを示し、図４に示す伝送システムと同様に、ルータ１と伝送装置３とによりＡ局を構成し、伝送装置４，５によりＢ局を構成し、伝送装置６，７によりＣ局を構成し、伝送装置８とルータ２とによりＤ局を構成し、各局Ａ，Ｂ，Ｃ，Ｄ間は、単一の送受信共通の光伝送路により接続し、各局内は送信用と受信用との２本の光伝送路により接続して、光波長多重伝送を行うシステムを示す。なお、監視装置は図示を省略している。又ルータ１，２及び伝送装置３〜８のそれぞれ下方に示すＬｉｎｋｄｏｗｎ、Ｃ−ＬＯＳ、ＲＭＴ−ＬＮＫと、それらの右側又は左側に付加した黒丸印とは、リンク断検出、クライアントロス検出、リモートリンク断検出を示すと共に、情報受信方向と情報送信方向と原因発生方向とを示す。又各伝送装置３〜８対応接点情報を示す。
【００１９】
例えば、伝送装置５のＣ−ＬＯＳの左側の黒丸は、伝送装置５の左側の伝送装置４との間で発生したリンク断によるクライアントロス検出を示し、又伝送装置４のＬｉｎｋｄｏｗｎの右側の黒丸印は、伝送装置５のリンク断検出による対応リンクをシャットダウンしたことによるリンク断検出を示す。又伝送装置３のＲＭＴ−ＬＮＫの右側の黒丸は、伝送装置４のリンク断情報生成機能部１２（図１参照）からのリモートリンク断情報を示す。従って、この場合の伝送装置３からの接点情報は、「接点：ＣＬＮＴ−ＡＬＭ  ＲＭＴ−ＬＮＫ」となる。又伝送装置４からの接点情報は、「接点：ＣＮＴ−ＡＬＭ」、又最初にリンク断検出を行った伝送装置５からの接点情報は、「接点：ＣＬＮＴ−ＡＬＭ」、伝送装置６からの接点情報は、「接点：ＣＬＮＴ−ＡＬＭ  ＲＭＴ−ＬＮＫ」、伝送装置７からの接点情報は、「接点：ＣＬＮＴ−ＡＬＭ」、伝送装置８からの接点情報は、「接点：ＣＬＮＴ−ＡＬＭ  ＲＭＴ−ＬＮＫ」となる。このような接点情報を監視装置に於いて収集することにより、リモートリンク断を示す接点情報ＲＭＴ−ＬＮＫを送出した伝送装置３，６間に位置する二つの伝送装置４，５間に於いてリンク断が発生したと判断し、リモートリンク断を示す接点情報ＲＭＴ−ＬＮＫを送出した伝送装置６，８間は、一つの伝送装置７が存在することから正常と判断する。即ち、監視装置は、各伝送装置３〜８からの接点情報を収集し、それらの接点情報の中のリモートリンク断の接点情報ＲＭＴ−ＬＮＫを送出しない伝送装置が隣り合っている場合に、その伝送装置間でリンク断発生と判断する。
【実施例２】
【００２０】
図３は、本発明の実施例２の障害監視制御の説明図であり、図２と同一符号は同一部分を示す。前述の場合と同様に伝送装置４，５間でリンク断発生の場合の各伝送装置３〜８からの接点情報は同一内容となるが、例えば、伝送装置３，６，８からの接点情報は、リモートリンク断の情報ＲＭＴ−ＬＮＫを含むので、この場合、リンク断情報ＣＬＮＴ−ＡＬＭをマスクし、接点情報は、「接点：ＲＭＴ−ＬＮＫ」として監視装置へ送出する。従って、監視装置では、収集した接点情報の「接点：ＲＭＴ−ＬＮＫ」によりリンク断障害発生と判断し、そのリンク断発生個所は、接点情報の「接点：ＲＭＴ−ＬＮＫ」を送出した伝送装置間に於いて、接点情報の「接点：ＣＬＮＴ−ＡＬＭ」を送出した伝送装置が隣り合っている場合に、その隣り合っている伝送装置間でリンク断発生と判断する。この場合、リモートリンク断情報ＲＭＴ−ＬＮＫを送出した伝送装置３，６，８に対して、リンク断情報ＣＬＮＴ−ＡＬＭを送出した伝送装置４，５，７が存在し、リモートリンク断情報ＲＭＴ−ＬＮＫを送出した伝送装置３，６間に、リンク断情報ＣＬＮＴ−ＡＬＭを送出した２台の伝送装置４，５が存在するから、この伝送装置４，５間にリンク断が発生したことを判断することができる。従って、伝送装置４，５間のリンク断発生個所に対して、迅速に回復処理を行うことが可能となる。
【符号の説明】
【００２１】
１，２  ルータ
３〜８  伝送装置（ＷＤＭ−Ａ，ＷＤＭ−Ｂ）
１１  送受信部
１２  リンク断情報生成機能部
１３  リンク断情報転送機能部
１４  制御処理部
１５  接点出力部
２１  送受信部
２２  リンク断情報受信機能部
２３  リンク断情報接点出力機能部
２４  制御処理部
２５  接点出力部
ＷＤＭ−Ａ，ＷＤＭ−Ｂ  伝送装置
【図１】
2011055381.tif 000003
【図２】
2011055381.tif 000004
【図３】
2011055381.tif 000005
【図４】
2011055381.tif 000006